(57)【要約】      （修正有）【課題】振動等の生じる環境下においても確実に接続が保たれるコネクタの提供。【解決手段】一方のコネクタ２０は、接続部３４により電気的に接続されている第１の接触端子３１と第２の接触端子３２を有するコンタクト部３０を有し、第２の接触端子３２は、第１の接触端子３１と第２の接触端子３２との間が狭まるよう屈曲部において屈曲した形状であり、他方のコネクタ６０は、接続部７４により電気的に接続されている第３の接触端子７１と第４の接触端子７２を有するコンタクト部７０を有し、第４の接触端子７２は、第３の接触端子７１と第４の接触端子７２との間が広がるよう屈曲部において屈曲した形状であり、両コネクタを嵌合させた状態では、一方のコネクタ２０の第１の接触端子３１及び第２の接触端子３２が、他方のコネクタ６０の第３の接触端子７１及び第４の接触端子７４を挟み込むように接続される。【選択図】図５
2010287356.tif 000002
【特許請求の範囲】
【請求項１】
一方のコネクタと他方のコネクタを嵌合させることにより、電気的に接続されるコネクタにおいて、
前記一方のコネクタは、接続部により電気的に接続されている第１の接触端子と第２の接触端子を有するコンタクト部を有し、前記第２の接触端子は、前記第１の接触端子と前記第２の接触端子との間が狭まるよう屈曲部において屈曲した形状であり、
前記他方のコネクタは、接続部により電気的に接続されている第３の接触端子と第４の接触端子を有するコンタクト部を有し、前記第４の接触端子は、前記第３の接触端子と前記第４の接触端子との間が広がるよう屈曲部において屈曲した形状であり、
前記一方のコネクタと前記他方のコネクタと嵌合させた状態では、前記一方のコネクタのコンタクト部における第１の接触端子及び第２の接触端子が、前記他方のコネクタのコンタクト部における第３の接触端子及び第４の接触端子を挟み込むように接続されるものであって、前記第１の接触端子と前記第４の接触端子とが接触し、かつ、前記第２の接触端子と前記第３の接触端子とが接触しているものであることを特徴とするコネクタ。
【請求項２】
前記第１の接触端子及び前記第２の接触端子は相互に略平行に形成されており、前記第３の接触端子及び前記第４の接触端子は相互に略平行に形成されているものであることを特徴とする請求項１に記載のコネクタ。
【請求項３】
前記第２の接触端子及び前記第４の接触端子はバネ性を有することを特徴とする請求項１または２に記載のコネクタ。
【請求項４】
一方のコネクタと他方のコネクタのコンタクト部にはリード部が形成されており、
前記リード部は、前記第１の接触端子又は前記第３の接触端子の延長方向、または、前記接続部の延長方向に延びるように形成されていることを特徴とする請求項１から３のいずれかに記載のコネクタ。
【請求項５】
前記第１の接触端子及び前記第２の接触端子は同一材料により形成されおり、また、前記第３の接触端子及び前記第４の接触端子は同一材料により形成されているものであることを特徴とする請求項１から４のいずれかに記載のコネクタ。
【請求項６】
前記一方のコネクタは、前記第１の接触端子及び前記第２の接触端子を有するコンタクト部が複数設けられており、前記他方のコネクタは、前記第３の接触端子及び前記第４の接触端子を有するコンタクト部が複数設けられていることを特徴とする請求項１から５のいずれかに記載のコネクタ。
【発明の詳細な説明】
【技術分野】
【０００１】
本発明は、コネクタに関するものであり、特に、接続における信頼性の高いコネクタに関する。
【背景技術】
【０００２】
自動車等における制御は、電子制御等により行われており、自動車等の内部においては、制御機器と制御されるもの等を接続するためにコネクタが用いられている。
【０００３】
一方、コネクタは通常、雄型のコネクタと雌型のコネクタとが対となっており、雄型のコネクタと雌型のコネクタとが嵌合することにより接続される。このようなコネクタとしては、様々なタイプのものがある。
【先行技術文献】
【特許文献】
【０００４】
【特許文献１】特開２００８−２１８００３号公報
【発明の概要】
【発明が解決しようとする課題】
【０００５】
ところで、自動車等においては、自動車の動作中は振動が常に発生しており、この振動により、コネクタにおいて接点同士が離れ電気的に接続されない状態になると、自動車等における制御をすることができなくなってしまう。
【０００６】
このため、振動等を生じる環境においても、確実に電気的な接続が維持されるコネクタが望まれている。
【０００７】
本発明は、上記記載の内容に鑑みてなされたものであり、振動等が発生する環境においても、電気的な接続が維持されるコネクタを提供するものである。
【課題を解決するための手段】
【０００８】
本発明は、一方のコネクタと他方のコネクタを嵌合させることにより、電気的に接続されるコネクタにおいて、前記一方のコネクタは、接続部により電気的に接続されている第１の接触端子と第２の接触端子を有するコンタクト部を有し、前記第２の接触端子は、前記第１の接触端子と前記第２の接触端子との間が狭まるよう屈曲部において屈曲した形状であり、前記他方のコネクタは、接続部により電気的に接続されている第３の接触端子と第４の接触端子を有するコンタクト部を有し、前記第４の接触端子は、前記第３の接触端子と前記第４の接触端子との間が広がるよう屈曲部において屈曲した形状であり、前記一方のコネクタと前記他方のコネクタと嵌合させた状態では、前記一方のコネクタのコンタクト部における第１の接触端子及び第２の接触端子が、前記他方のコネクタのコンタクト部における第３の接触端子及び第４の接触端子を挟み込むように接続されるものであって、前記第１の接触端子と前記第４の接触端子とが接触し、かつ、前記第２の接触端子と前記第３の接触端子とが接触しているものであることを特徴とする。
【０００９】
また、本発明は、前記第１の接触端子及び前記第２の接触端子は相互に略平行に形成されており、前記第３の接触端子及び前記第４の接触端子は相互に略平行に形成されているものであることを特徴とする。
【００１０】
また、本発明は、前記第２の接触端子及び前記第４の接触端子はバネ性を有することを特徴とする。
【００１１】
また、本発明は、一方のコネクタと他方のコネクタのコンタクト部にはリード部が形成されており、前記リード部は、前記第１の接触端子又は前記第３の接触端子の延長方向、または、前記接続部の延長方向に延びるように形成されていることを特徴とする。
【００１２】
また、本発明は、前記第１の接触端子及び前記第２の接触端子は同一材料により形成されおり、また、前記第３の接触端子及び前記第４の接触端子は同一材料により形成されているものであることを特徴とする。
【００１３】
また、本発明は、前記一方のコネクタは、前記第１の接触端子及び前記第２の接触端子を有するコンタクト部が複数設けられており、前記他方のコネクタは、前記第３の接触端子及び前記第４の接触端子を有するコンタクト部が複数設けられていることを特徴とする。
【発明の効果】
【００１４】
本発明によれば、振動等が発生する環境においても、電気的な接続が維持されるコネクタを提供することが可能である。
【図面の簡単な説明】
【００１５】
【図１】本実施の形態における一方のコネクタのコンタクト部の斜視図
【図２】本実施の形態における一方のコネクタの構造図
【図３】本実施の形態における他方のコネクタのコンタクト部の斜視図
【図４】本実施の形態における他方のコネクタの構造図
【図５】本実施の形態における一方のコネクタと他方のコネクタとの接合状態の構造図
【図６】本実施の形態における他の構成の一方のコネクタの斜視図
【図７】本実施の形態における他の構成の他方のコネクタの斜視図
【発明を実施するための形態】
【００１６】
本発明を実施するための形態について、以下に説明する。
【００１７】
本実施の形態におけるコネクタは、一方のコネクタと他方のコネクタとを接続することにより電気的に接続するためのものであり、一方のコネクタと他方のコネクタとが接続された際に、１つの接続に対し２つの接触部分を有する構成のコネクタである。
【００１８】
（一方のコネクタ）
図１に基づき一方のコネクタのコンタクト部１０について説明する。一方のコネクタのコンタクト部１０は、金属等の導電性材料により形成されており。差込方向Ａに延びる２つの接触端子である第１の接触端子１１及び第２の接触端子１２を有している。第１の接触端子１１及び第２の接触端子１２は互いに略平行に配置されており、差込方向Ａに垂直な断面における第１の接触端子１１及び第２の接触端子１２の形状は略長方形に形成されており、相互に向き合う面が幅の広い面となるよう形成されている。
【００１９】
第１の接触端子１１は差込方向Ａに沿って略直線的に形成されており、一方、第２の接触端子１２は、先端部において第１の接触端子１１と第２の接触端子１２との間隔が狭くなるように、中央部分の屈曲部１７において内側に曲げられて形成されている。
【００２０】
第２の接触端子１２はバネ性を有しており、第１の接触端子１１と第２の接触端子１２との先端部分の間隔が広がる方向又は狭まる方向に変位することが可能である。また、第２の接触端子１２の先端部分は「へ」の字状に形成されており、第１の接触端子１１と第２の接触端子１２との間隔が最も狭くなっている領域の内側部分が接触領域１３となり、この接触領域１３において、後述する他方のコネクタのコンタクト部と接続される。
【００２１】
第１の接触端子１１と第２の接触端子１２とは、接続部１４において電気的に接続されており、差込方向Ａと反対方向に延びるリード部１５が形成されている。図においては、リード部１５は、第１の接触端子１１の部分が差込方向Ａの反対方向に延びるよう形成されているが、接続部１４の部分が差込方向Ａの反対方向に延びるよう形成してもよい。リード部１５の先端には、リード端子１６が形成されており、プリント基板等と接続されている。
【００２２】
コンタクト部１０の形成方法は、金属板等を所定の形状に打ち抜いた後、接続部１４と第１の接触端子１１との間を略直角に曲げ、接続部１４と第２の接触端子１２との間を略直角に曲げることにより形成されている。これにより、第１の接触端子１１と第２の接触端子１２とが対向するように形成される。このように形成することにより、第１の接触端子１１と第２の接触端子１２を同一の材料により形成することができ、コンタクト部１０を低コストで簡単に形成することが可能である。尚、第１の接触端子１１と第２の接触端子１２とを対向させるため、接続部１４をＵ字状に形成してもよい。
【００２３】
次に、図２に基づき本実施の形態における一方のコネクタ２０について説明する。本実施の形態における一方のコネクタ２０は、上述したコンタクト部１０と略同様の構成のコンタクト部を２つ有するものである。一方のコネクタ２０は、ハウジング部２１を有しており、ハウジング部２１内に第１のコンタクト部３０と第２のコンタクト部４０とを有している。第１のコンタクト部３０と第２のコンタクト部４０との間には、絶縁材料２２等が形成されており絶縁状態が保たれる。
【００２４】
第１のコンタクト部３０は、上述したコンタクト部１０と同様の形状のものであり、第１の接触端子３１、第２の接触端子３２、接触領域３３、接続部３４、リード部３５、リード端子３６を有している。第１のコンタクト部３０は、ハウジング部２１において、外側に第２の接触端子３２、内側に第１の接触端子３１が配置されるように設置されている。
【００２５】
また、第２のコンタクト部４０は、上述したコンタクト部１０における第１の接触端子１１、第２の接触端子１２、接触領域１３、接続部１４とは同様の構造であるが、リード部１５の形状が異なり、第１のコンタクト部３０とは反対側に曲げられた構造のものである。即ち、第２のコンタクト部４０は、上述したコンタクト部１０と同様の構造の第１の接触端子４１、第２の接触端子４２、接触領域４３、接続部４４を有しており、リード部４５は、第１のコンタクト部３０とは異なり、第１の接触端子４１側に曲げられており、また、第２のコンタクト部４０は、第１のコンタクト部３０よりも、一方のコネクタ２０の上方に設置されるため、リード部４５は、リード部３５よりも長く形成されている。また、リード部４５の端部にはリード端子４６が形成されており、第１のコンタクト部３０のリード端子３６とともに、プリント基板等の基板２３と接続されている。また、第２のコンタクト部４０は、ハウジング部２１において、外側に第２の接触端子４２、内側に第１の接触端子４１が配置されるように設置されている。
【００２６】
以上より、一方のコネクタ２０は、後述する他方のコネクタと接続される接続面２４において、図２の図面上、上から、第２のコンタクト部４０の第２の接続端子４２、第２のコンタクト部４０の第１の接続端子４１、第１のコンタクト部３０の第１の接続端子３１、第１のコンタクト部３０の第２の接続端子３２の順に配置されている。
【００２７】
（他方のコネクタ）
次に、図３に基づき他方のコネクタのコンタクト部５０について説明する。他方のコネクタのコンタクト部５０は、一方のコネクタと同様に、金属等の導電性材料により形成されており。差込方向Ｂに延びる２つの接触端子である第３の接触端子５１及び第４の接触端子５２を有している。第３の接触端子５１及び第４の接触端子５２は互いに略平行に配置されており、差込方向Ｂに垂直な第３の接触端子５１及び第４の接触端子５２の断面の形状は略長方形に形成されており、相互に向き合う面が幅の広い面となるよう形成されている。
【００２８】
第３の接触端子５１は差込方向Ｂに沿って略直線的に形成されており、一方、第４の接触端子５２は、先端部において第３の接触端子５１と第４の接触端子５２との間隔が広くなるように、中央部分の屈曲部５７において外側に曲げられて形成されている。
【００２９】
第４の接触端子５２はバネ性を有しており、第３の接触端子５１と第４の接触端子５２と先端部分の間隔が広がる方向又は狭まる方向に変位することが可能である。また、第４の接触端子５２の先端部分は「へ」の字状に形成されており、第３の接触端子５１と第４の接触端子５２との間隔が最も広くなっている領域の外側部分が接触領域５３となり、この接触領域５３において、前述した一方のコネクタのコンタクト部１０と接続される。
【００３０】
第３の接触端子５１と第４の接触端子５２とは、接続部５４において電気的に接続されており、差込方向Ｂと反対方向に延びるリード部５５が形成されている。図においては、リード部５５は、第３の接触端子５１の部分が差込方向Ｂの反対方向に延びるよう形成されているが、接続部５４の部分が差込方向Ｂの反対方向に延びるよう形成してもよい。リード部５５の先端には、リード端子５６が形成されており、プリント基板等と接続されている。
【００３１】
コンタクト部５０の形成方法は、金属板等を所定の形状に打ち抜いた後、接続部５４と第３の接触端子５１との間を略直角に曲げ、接続部５４と第４の接触端子５２との間を略直角に曲げることにより形成されている。これにより、第３の接触端子５１と第４の接触端子５２とが対向するように形成される。このように形成することにより、第３の接触端子５１と第４の接触端子５２を同一の材料により形成することができ、コンタクト部５０を低コストで簡単に形成することが可能である。尚、第３の接触端子５１と第４の接触端子５２とを対向させるため、接続部５４をＵ字状に形成してもよい。
【００３２】
次に、図４に基づき本実施の形態における他方のコネクタ６０について説明する。本実施の形態における他方のコネクタ６０は、上述したコンタクト部５０と略同様の構成のコンタクト部を２つ有するものである。他方のコネクタ６０は、ハウジング部６１を有しており、ハウジング部６１内に第１のコンタクト部７０と第２のコンタクト部８０とを有している。第１のコンタクト部７０と第２のコンタクト部８０との間には、絶縁材料６２等が形成されており絶縁状態が保たれている。
【００３３】
第１のコンタクト部７０は、上述したコンタクト部５０と同様の形状のものであり、第３の接触端子７１、第４の接触端子７２、接触領域７３、接続部７４、リード部７５、リード端子を有している。第１のコンタクト部７０は、ハウジング部６１において、外側に第３の接触端子７１、内側に第４の接触端子７２が配置されるように設置されている。
【００３４】
また、第２のコンタクト部８０は、上述したコンタクト部５０における第３の接触端子５１、第４の接触端子５２、接触領域５３、接続部５４とは同様の構造であるが、リード部５５の形状が異なり、第１のコンタクト部７０とは反対側に曲げられた構造のものである。即ち、第２のコンタクト部８０は、上述したコンタクト部５０と同様の構造の第３の接触端子８１、第４の接触端子８２、接触領域８３、接続部８４を有しており、リード部８５は、第１のコンタクト部７０とは異なり、第４の接触端子８２側に曲げられており、また、第２のコンタクト部８０は、第１のコンタクト部７０よりも、他方のコネクタ６０の上方に設置されるため、リード部８５は、リード部７５よりも長く形成されている。また、リード部８５の端部にはリード端子８６が形成されており、第１のコンタクト部７０のリード端子とともに、各々プリント基板等の基板６３と接続されている。また、第２のコンタクト部８０は、ハウジング部６１内において、外側に第３の接触端子８１、内側に第４の接触端子８２が配置されるように設置されている。
【００３５】
以上より、一方のコネクタ６０は、後述する他方のコネクタと接続される接続面６４においては、図４の図面上、上から、第２のコンタクト部８０の第３の接続端子８１、第２のコンタクト部８０の第４の接続端子８２、第１のコンタクト部７０の第４の接続端子７２、第１のコンタクト部７０の第３の接続端子７１の順に配置されている。
【００３６】
（嵌合状態）
次に、図５に基づき一方のコネクタ２０と他方のコネクタ６０との嵌合状態について説明する。一方のコネクタ２０の接続面２４と他方のコネクタ６０の接続面６４とが互いに向かい合うように配置し、図に示すように、一方のコネクタ２０と他方のコネクタ６０とを接合する。これにより、一方のコネクタ２０の第１のコンタクト部３０と他方のコネクタ６０の第１のコンタクト部７０とが接続され、一方のコネクタ２０の第２のコンタクト部４０と他方のコネクタ６０の第２のコンタクト部８０とが接続される。
【００３７】
即ち、一方のコネクタ２０の第１のコンタクト部３０の第１の接続端子３１及び第２の接続端子３２が、他方のコネクタ６０の第１のコンタクト部７０の第３の接続端子７１及び第４の接続端子７２を挟み込むように接続される。具体的には、一方のコネクタ２０の第１のコンタクト部３０の第１の接続端子３１と他方のコネクタ６０の第１のコンタクト部７０の第４の接続端子７２とが第４の接続端子７２における接触領域７３において接触し接続される。また、一方のコネクタ２０の第１のコンタクト部３０の第２の接続端子３２と他方のコネクタ６０の第１のコンタクト部７０の第３の接続端子７１とが第２の接続端子３２における接触領域３３において接触し接続される。一方のコネクタ２０の第１のコンタクト部３０と他方のコネクタ６０の第１のコンタクト部７０とは、一点で接触していれば電気的に接続されるが、本実施の形態においては、接触領域７３及び３３の２点において接触しており、１点の場合と比較して振動等により接点の接触が離れる確率が低く、コネクタにおける電気的な接続の信頼性を向上させることができる。また、一方のコネクタ２０の第１のコンタクト部３０の第１の接続端子３１及び第２の接続端子３２が、他方のコネクタ６０の第１のコンタクト部７０の第３の接続端子７１及び第４の接続端子７２を挟み込むように接続しているため、特に、図面上、上下方向の大きな振動等が生じた場合においても、電気的な接続が維持される。
【００３８】
具体的には、一方のコネクタ２０に対し他方のコネクタ６０が相対的に上方向に変位した場合においては、一方のコネクタ２０の第１のコンタクト部３０の第２の接続端子３２と他方のコネクタ６０の第１のコンタクト部７０の第３の接続端子７１とは離れる方向となるが、一方のコネクタ２０の第１のコンタクト部３０の第１の接続端子３１と他方のコネクタ６０の第１のコンタクト部７０の第４の接続端子７２との接続は強まる方向、即ち、第４の接続端子７２が第１の接続端子３１に押しつけられる方向に働く。よって、万が一、一方のコネクタ２０の第１のコンタクト部３０の第２の接続端子３２と他方のコネクタ６０の第１のコンタクト部７０の第３の接続端子７１との接続が離れたとしても、一方のコネクタ２０の第１のコンタクト部３０の第１の接続端子３１と他方のコネクタ６０の第１のコンタクト部７０の第４の接続端子７２とは確実に接続されており、一方のコネクタ２０の第１のコンタクト部３０と他方のコネクタ６０の第１のコンタクト部７０との電気的接続を維持することができる。
【００３９】
また、一方のコネクタ２０に対し他方のコネクタ６０が相対的に下方向に変位した場合においては、一方のコネクタ２０の第１のコンタクト部３０の第１の接続端子３１と他方のコネクタ６０の第１のコンタクト部７０の第４の接続端子７２とは離れる方向となるが、一方のコネクタ２０の第１のコンタクト部３０の第２の接続端子３２と他方のコネクタ６０の第１のコンタクト部７０の第３の接続端子７１との接続は強まる方向、即ち、第２の接続端子３２が第３の接続端子７１に押しつけられる方向に働く。よって、万が一、一方のコネクタ２０の第１のコンタクト部３０の第１の接続端子３１と他方のコネクタ６０の第１のコンタクト部７０の第４の接続端子７２との接続が離れたとしても、一方のコネクタ２０の第１のコンタクト部３０の第２の接続端子３２と他方のコネクタ６０の第１のコンタクト部７０の第３の接続端子７１とは確実に接続されており、一方のコネクタ２０の第１のコンタクト部３０と他方のコネクタ６０の第１のコンタクト部７０との電気的接続を維持することができる。
【００４０】
同様に、一方のコネクタ２０と他方のコネクタ６０とを接合することにより、一方のコネクタ２０の第２のコンタクト部４０と他方のコネクタ６０の第２のコンタクト部８０とが接続される。即ち、一方のコネクタ２０の第２のコンタクト部４０の第１の接続端子４１及び第２の接続端子４２が、他方のコネクタ６０の第２のコンタクト部８０の第３の接続端子８１及び第４の接続端子８２を挟み込むように接続される。具体的には、一方のコネクタ２０の第２のコンタクト部４０の第１の接続端子４１と他方のコネクタ６０の第２のコンタクト部８０の第４の接続端子８２とが第４の接続端子８２における接触領域８３において接触し接続される。また、一方のコネクタ２０の第２のコンタクト部４０の第２の接続端子４２と他方のコネクタ６０の第２のコンタクト部８０の第３の接続端子８１とが第２の接続端子４２における接触領域４３において接触し接続される。一方のコネクタ２０の第２のコンタクト部４０と他方のコネクタ６０の第２のコンタクト部８０とは、一点で接触していれば電気的に接続されるが、本実施の形態においては、接触領域８３及び４３の２点において接触しており、１点の場合と比較して振動等により接点における接触が離れる確率が低く、コネクタにおける電気的な接続の信頼性を向上させることができる。また、一方のコネクタ２０の第２のコンタクト部４０の第１の接続端子４１及び第２の接続端子４２が、他方のコネクタ６０の第２のコンタクト部８０の第３の接続端子８１及び第４の接続端子８２を挟み込むように接続されるため、特に、図面上、上下方向の大きな振動等が生じた場合においても、電気的な接続が維持される。
【００４１】
具体的には、一方のコネクタ２０に対し他方のコネクタ６０が相対的に上方向に変位した場合においては、一方のコネクタ２０の第２のコンタクト部４０の第１の接続端子４１と他方のコネクタ６０の第２のコンタクト部８０の第４の接続端子８２とは離れる方向となるが、一方のコネクタ２０の第２のコンタクト部４０の第２の接続端子４２と他方のコネクタ６０の第２のコンタクト部８０の第３の接続端子８１との接続は強まる方向、即ち、第２の接続端子４２が第３の接続端子８１に押しつけられる方向に働く。よって、万が一、一方のコネクタ２０の第２のコンタクト部４０の第１の接続端子４１と他方のコネクタ６０の第２のコンタクト部８０の第４の接続端子８２との接続が離れたとしても、一方のコネクタ２０の第２のコンタクト部４０の第２の接続端子４２と他方のコネクタ６０の第２のコンタクト部８０の第３の接続端子８１とは確実に接続されており、一方のコネクタ２０の第２のコンタクト部４０と他方のコネクタ６０の第２のコンタクト部８０との電気的接続を確実に維持することができる。
【００４２】
また、一方のコネクタ２０に対し他方のコネクタ６０が相対的に下方向に変位した場合においては、一方のコネクタ２０の第２のコンタクト部４０の第２の接続端子４２と他方のコネクタ６０の第２のコンタクト部８０の第３の接続端子８１とは離れる方向となるが、一方のコネクタ２０の第２のコンタクト部４０の第１の接続端子４１と他方のコネクタ６０の第２のコンタクト部８０の第４の接続端子８２との接続は強まる方向、即ち、第４の接続端子８２が第１の接続端子４１に押しつけられる方向に働く。よって、万が一、一方のコネクタ２０の第２のコンタクト部４０の第２の接続端子４２と他方のコネクタ６０の第２のコンタクト部８０の第３の接続端子８１との接続が離れたとしても、一方のコネクタ２０の第１のコンタクト部４０の第１の接続端子４１と他方のコネクタ６０の第２のコンタクト部８０の第４の接続端子８２とは確実に接続されており、一方のコネクタ２０の第２のコンタクト部４０と他方のコネクタ６０の第２のコンタクト部８０との電気的接続を維持することができる。
【００４３】
このように、本実施の形態におけるコネクタは、振動等が生じる外部環境においても、電気的接続を確実に維持することが可能である。
【００４４】
次に、図６及び図７に基づき、一方のコネクタ１１０に第１のコンタクト部３０及び第２のコンタクト部４０が複数配列された構成のコネクタと、他方のコネクタ１２０に第１のコンタクト部７０及び第２のコンタクト部８０が複数配列された構成のコネクタについて説明する。
【００４５】
図６は、第１のコンタクト部３０及び第２のコンタクト部４０が複数配列された構成の一方のコネクタ１１０である。一方のコネクタ１１０はハウジング部１１１を有し、ハウジング部１１１において、第１の接触端子及び第２の接触端子を有する複数の第１のコンタクト部３０と、第１の接触端子及び第２の接触端子を有する複数の第２のコンタクト部４０が並列に配列されている。
【００４６】
また、図７は、第１のコンタクト部７０及び第２のコンタクト部８０が複数配列された構成の他方のコネクタ１２０である。他方のコネクタ１２０はハウジング部１２１を有し、ハウジング部１２１において、第３の接触端子及び第４の接触端子を有する複数の第１のコンタクト部７０と、第３の接触端子及び第４の接触端子を有する複数の第２のコンタクト部８０が並列に配列されている。
【００４７】
本実施の形態におけるコネクタよれば、１つの電気的接続を２つの接触点により接続しているため、自動車内等の常に振動が生じる環境下においても、確実に電気的な接続を維持することができる。
【００４８】
以上、本発明の実施に係る形態について説明したが、上記内容は、発明の内容を限定するものではない。
【符号の説明】
【００４９】
１０    一方のコネクタのコンタクト部
１１    第１の接触端子
１２    第２の接触端子
１３    接触領域
１４    接続部
１５    リード部
１６    リード端子
１７    屈曲部
２０    一方のコネクタ
２１    ハウジング部
２２    絶縁材料
２３    基板
２４    接続面
３０    第１のコンタクト部
３１    第１の接触端子
３２    第２の接触端子
３３    接触領域
３４    接続部
３５    リード部
３６    リード端子
４０    第２のコンタクト部
４１    第１の接触端子
４２    第２の接触端子
４３    接触領域
４４    接続部
４５    リード部
４６    リード端子
５０    他方のコネクタのコンタクト部
５１    第３の接触端子
５２    第４の接触端子
５３    接触領域
５４    接続部
５５    リード部
５６    リード端子
５７    屈曲部
６０    他方のコネクタ
６１    ハウジング部
６２    絶縁材料
６３    基板
６４    接続面
７０    第１のコンタクト部
７１    第３の接触端子
７２    第４の接触端子
７３    接触領域
７４    接続部
７５    リード部
８０    第２のコンタクト部
８１    第３の接触端子
８２    第４の接触端子
８３    接触領域
８４    接続部
８５    リード部
８６    リード端子
【図１】
2010287356.tif 000003
【図２】
2010287356.tif 000004
【図３】
2010287356.tif 000005
【図４】
2010287356.tif 000006
【図５】
2010287356.tif 000007
【図６】
2010287356.tif 000008
【図７】
2010287356.tif 000009